(57)【要約】【課題】台金に対する加工によって、実際の使用上から発生する騒音の低減を可能にした刈払い機用チツプソ−を提供する。【解決手段】台金１に穿設した多数の透孔５からなり、所定の形状で拡がりを見せる透孔群６を適宜の間隔を採って等配的に配し、隣合う透孔群間の台金１に設けた複数本の湾曲する線状スリット７からなり、所定の形状で拡がりを見せるスリット組８を配置し、各線状スリット７内には粘弾性体９を充填した。【選択図】図１
2006042750.tif 000002
【特許請求の範囲】
【請求項１】
取着孔を有する台金の中央部を残し、台金中間部から周縁部に掛けて穿設した多数の透孔からなり、所定の形状で拡がりを見せる透孔群を適宜の間隔を採って等配的に配し、隣合う透孔群間の台金に設けた複数本の線状スリットからなり、所定の形状で拡がりを見せるスリット組を配置したことを特徴とする刈払い機用チップソー。
【請求項２】
透孔群をなす各透孔の大きさは、取着孔寄り位置から周縁部向けに漸進的に穴径を大きくしたことを特徴とする請求項１記載の刈払い機用チップソー。
【請求項３】
線状スリットは、向きの異なる複数の曲線を連続させてなることを特徴とする請求項１記載の刈払い機用チップソー。
【請求項４】
各線状スリット内に粘弾性体を充填したことを特徴とする請求項１又は３記載の刈払い機用チップソー。
【請求項５】
スリット組をなす各線状スリットの見かけ状の向きは、台金の半径方向と台金の周方向に対して傾斜させ、且つ、各線状スリットの向きを異ならしめたことを特徴とする請求項１、３，４のいずれかに記載の刈払い機用チップソー。
【発明の詳細な説明】
【技術分野】
【０００１】
本発明は刈払い機用チップソーに関するものであり、さらに詳しくは、雑草類の刈払い作業に使用される刈払い機用チップソーに関するものである。
【背景技術】
【０００２】
従来より、作業者が肩に掛けたり背負ったりして携行し、地面の雑草類を刈り取る刈払い機が使用されている。
【０００３】
この種の刈払い機は、エンジン又はモータの動力源からの回転を長尺筒状の操作杆を介して回転刈刃に伝え、作業者が操作杆を左右方向に振り動かして回転刈刃で地面の雑草類を刈り取るものである。
【０００４】
このように、刈払い機を用いる刈払い作業は、手軽で効率的ではあるが、危険と騒音を伴うために、作業者自身及び周囲への騒音に対する配慮が必要とされる。最近では、刈払い機に使用されるエンジンにおける排ガス規制や、環境に配慮した「クリ−ン排気」、「低騒音」、「燃費の向上」等の規制や要望等も多く出てきている。
【０００５】
そこで、刈払い作業で生じる騒音について考察すると、刈払い作業の主たる騒音は、エンジンの爆発音、回転する回転刈刃の摩擦音、切断抵抗音の３つとされる。中でも騒音レベルが高いのは間欠的ではあるが、回転刈刃の衝接音、切断抵抗音である事が知られている。
【０００６】
具体例としては、回転刈刃で地面付近の雑草類を刈り取る際に、小石等の硬質異物に刃先及び台金が衝接することが往々にしてあり、この時にはひときわ大きいカン高い金属打撃音が発生して不快感を与える。
【発明の開示】
【発明が解決しようとする課題】
【０００７】
しかしながら、従来の刈払い機に使用される回転刈刃については、刈刃自体の軽量化、耐久性、切れ味等を追求する開発については多くの提案が見られるが、刈払い作業中に発生する騒音低減に関しては、ほとんど取り上げられていないのが現状である。
【０００８】
そこで、本発明は、刈払い機に使用される回転刈刃の中でも、特に、刃部に超硬チップを植設したチツプソ−のように、刈払い作業中に台金が不規則に小石等の硬質異物に衝接した際に発生する騒音がひときわ大きくて間題になるものにおいて、台金に対する加工によって、実際の使用上から発生する騒音の低減を可能にした刈払い機用チツプソ−を提供することを目的としたものである。
【課題を解決するための手段】
【０００９】
上記の目的を達成するための本発明に係る刈払い機用チップソーは、取着孔を有する台金の中央部を残し、台金中間部から周縁部に掛けて穿設した多数の透孔からなり、所定の形状で拡がりを見せる透孔群を適宜の間隔を採って等配的に配し、隣合う透孔群間の台金に設けた複数本の線状スリットからなり、所定の形状で拡がりを見せるスリット組を配置したことを特徴とする。
【００１０】
このように構成した本発明に係るチップソーによれば、刈払い作業中に刃部及び台金が小石等に衝接して台金に加わる衝撃に対し、多数の透孔からなる透孔群形成域では、台金の弾性力が弱められて、台金を伝播する振動が滅少して消音効果を発揮する。
【００１１】
また、隣合う透孔群間にあって、複数本の線状スリットからなるスリット組形成域では、台金を伝播する振動が線状スリットによって短い距離で抑えられて、台金を伝播する振動が滅少して消音効果を発揮する。
【００１２】
こうして台金の刃部側からだけに限らず、いかなる場所から衝撃が加わっても、台金を伝播する全体的な振動の滅少が図られて消音効果を発揮する。
【００１３】
前記構成において、透孔群をなす各透孔の大きさは、取着孔寄り位置から周縁部向けに漸進的に穴径を大きくした構成にすると、台金の取着孔寄り部分では径小の透孔同士が接近して各透孔間に台金を残し、台金の周縁部寄り部分では径大の透孔同士が接近して各透孔間に台金を残し、これら各透孔間に残される台金部分は、透孔群形成域で各部の実用上から必要とされる充分な強度を維持し、台金の軽量化が図られて使い易くする。
【００１４】
また、刈払い作業で、作業者が操作杆を左右方向に振り動かす際に、透孔を通じて生じる空気の流れは、台金を振り動かす時の空気抵抗を軽減するので、刈払い作業の操作性を向上する。
【００１５】
前記構成において、線状スリットは、向きの異なる複数の曲線を連続させた構成にし、各線状スリット内に粘弾性体を充填し、また、スリット組を形成する各線状スリットの見かけ状の向きは、台金の半径方向と台金の周方向に対して傾斜させ、且つ、線状スリットの向きを異ならしめた構成にすると、スリット組形成域では、透孔群形成域に比べて台金を伝播する台金の固有振動数に起因する大きな振動現象を確実に防止して騒音低減が図られる。さらに、各線状スリット内に充填した粘弾性体が振動を吸収し、さらなる消音効果を発揮する。また、スリット組形成域では、その台金面はほぼ全面積を残すので、透孔群形成域を含め、台金の全体的剛性を高めて高速回転するチップソーの波打ち現象を抑止する。
【発明の効果】
【００１６】
以上述べたように、本発明に係る刈払い機用チップソーによれば、刃部及び台金から台金に加わる衝撃に対し、多数の透孔からなる透孔群形成域では、台金の弾性力により台金を伝播する振動を滅少させて消音効果を発揮し、また、複数本の線状スリットからなるスリット組形成域では、スリットにより台金を伝播する振動を短い距離で抑えるとともに、各線状スリット内に充填した粘弾性体による振動吸収作用が相乗的に作用して消音効果を発揮する。また、透孔群形成域の存在は台金の軽量化に寄与して刈払い作業をし易くし、スリット組形成域は台金の全体的剛性を高めて高速回転するチップソーの波打ち現象を抑止する。さらに、台金面に形成した透孔群とスリット組の存在は、デザイン的にも独自性を発揮し、商品価値を高める。
【発明を実施するための最良の形態】
【００１７】
以下、図面を参照しながら、本発明の実施例に係る刈払い機用チップソーについて具体的に説明する。
【実施例１】
【００１８】
図１はチップソーの正面図、図２は要部の部分拡大断面図、図３は線状スリットの配置説明図である。
【００１９】
図１,２において、円形状の金属板からなる台金１の外周縁部には、一定間隔で鋸刃状に多数の刃部２を形成し、これらの刃部２の回転方向に対向する縁部には、台金１より厚みのある超硬チップ３（超硬刃）を植設し、台金１中心に回転軸を挿入固定する取着孔４を設けている。
【００２０】
台金１には、取着孔４回りに台金面を残して、台金中間部から周縁部に掛けて、多数の透孔５を穿設して所定の形状で拡がりを見せて透孔群６を、適宜の間隔を採って等配的に配設している。
【００２１】
図１に示す実施の形態では、透孔群６を形成する各透孔５は、台金１の中央取着孔４側から周縁刃部２側に向けに漸進的に穴径を大きくするとともに、取着孔４側から周縁刃部２側に向けての拡がり形態は略扇形状をなす３つの透孔群６を形成している。
【００２２】
前記する隣合う透孔群６間の台金１に、複数本の湾曲する線状スリット７を設けて所定の形状で拡がりを見せてスリット組８を配設し、実施例１では、図２に示すように、各線状スリット７内に粘弾性体９を充填し、この粘弾性体９による振動吸収作用で消音効果を高めるようにしている。
【００２３】
線状スリット７は、向きの異なる複数の曲線を連続させて適宜の長さに形成したもので、図１に示す実施の形態では、スリット組８を形成する各線状スリット７の見かけ状の向き、すなわち、線状スリット７を直線的に見なした場合の線状スリット７の方向性を、図３に示すように、台金１の半径方向ａと台金１の周方向ｂに対して傾斜させるとともに、各線状スリット７の向きを異ならしめている。
【００２４】
図３において、回転方向に先行する第一の線状スリット７ａは、図３（ａ）に示すように、台金１の半径方向ａに対して、おおよそ４５度の角度を付けて傾斜し、前記第一の線状スリット７ａの後方にあって刃部２側の第二の線状スリット７ｂは、図３（ｂ）に示すように、台金１の半径方向ａに対し、おおよそ−１０度の角度を付けて傾斜し、また、前記第一の線状スリット７ａの後方にあって取着孔４側の第三の線状スリット７ｃは、図３（ｃ）に示すように、台金１の半径方向ａに対し、ほぼ直角をなして周方向ｂに向けられるような角度付けがなされている。
【実施例２】
【００２５】
前記実施例１において、多数の透孔５からなる透孔群６の拡がり形態や、複数本の線状スリット７からなるスリット組８の拡がり形態、また、各線状スリット７の長さや、台金１上における各線状スリット７の位置関係や向き等については、特に、制約があるものではなく、各種の実験結果や意匠的な配慮等に基づいて適切に設定される。
【００２６】
そこで、前記実施例１のように、透孔群６の拡がり形態を略扇形状とする場合より透孔総数を減らし、図４に示すように、透孔群６の拡がり形態を変えて台金面積を広くした試作品による実験結果からすると、騒音低減効果からの比較では、前記実施例１のチップソーと比較してほとんど変化は見られなかった。
【００２７】
また、前記実施例１における透孔５の拡がり形態は略扇形状のままとし、スリット組８を形成する線状スリット７の数を減らし、図５に示すように、線状スリット７の配置を変え、線状スリット７自体の形態も多少変更してスリット組８の拡がり形態を変えた試作品による実験結果からすると、騒音低減効果からの比較では、前記実施例１のチップソーと比較してほとんど変化は見られす、性能面からはほとんど遜色のない結果が得られた。
【産業上の利用可能性】
【００２８】
本発明に係る刈払い機用チップソーによれば、高速回転するチップソーの刃先及び台金が小石等に衝接して発するようなカン高い耳障りな金属打撃音等を効果的に減衰させて消音効果を発揮するので、人家が密集するような市街地内での雑草類の刈払い作業にも気軽に使用することができて有用なものである。
【図面の簡単な説明】
【００２９】
【図１】チップソーの正面図である。
【図２】要部の部分拡大断面図である。
【図３】線状スリットの配置説明図である。
【図４】別の実施例を示すチップソーの正面図である。
【図５】また別の実施例を示すチップソーの正面図である。
【符号の説明】
【００３０】
１  台金
２  刃部
３  超硬チップ
４  取着孔
５  透孔
６  透孔群
７  線状スリット
７ａ  線状スリット
７ｂ  線状スリット
７ｃ  線状スリット
８  スリット組
９  粘弾性体
【図１】
2006042750.tif 000003
【図２】
2006042750.tif 000004
【図３】
2006042750.tif 000005
【図４】
2006042750.tif 000006
【図５】
2006042750.tif 000007